(57)【要約】  抗捻挫衝撃吸収バランスエアクッション靴は、靴インサート（１１）及びソール（１２）を備える。エアクッション靴はまた、互いに連通する２つのエアバッグ（２１）を備える。ソール（１２）の上面には、２つのエアバッグ（２１）をそれぞれ収容する２つのエアバッグ室（１２１）が設けられる。２つのエアバッグ室（１２１）は、左右方向に沿ってソール（１２）に配置される。２つのエアバッグ（２１）を２つのエアバッグ室（１２１）内に固定するように、靴インサート（１１）とソール（１２）が組み合わせられる。２つのエアバッグ室（１２１）は、伸縮可能で圧縮可能である。従って、ソール（１２）の転がりは防止され、ソール（１２）の相対的なバランスが維持される。
2019506987.tif 000002
【特許請求の範囲】
【請求項１】
抗捻挫衝撃吸収バランスエアクッション靴であって、靴インサート（１１）及びソール（１２）を備え、前記エアクッション靴は、互いに連通する２つのエアバッグ（２１）と、前記ソール（１２）の上面に配置され前記２つのエアバッグ（２１）をそれぞれ収容するための２つのエアバッグ室（１２１）とをさらに備え、前記２つのエアバッグ室（１２１）は、左右方向に沿って前記ソール（１２）に分布し、前記靴インサート（１１）と前記ソール（１２）の組み合わせにより、前記２つのエアバッグ（２１）が前記２つのエアバッグ室（１２１）にそれぞれ固定され、前記２つのエアバッグ室（１２１）は、伸縮可能で圧縮可能である、ことを特徴とする抗捻挫衝撃吸収バランスエアクッション靴。
【請求項２】
前記２つのエアバッグ（２１）は接続管（２２）を介して連通し、前記２つのエアバッグ（２１）と前記２つのエアバッグ（２１）を連通する前記接続管（２２）とは衝撃吸収システム（２０）の列を構成する、ことを特徴とする請求項１に記載の抗捻挫衝撃吸収バランスエアクッション靴。
【請求項３】
１列の衝撃吸収システム（２０）が前記ソール（１２）の踵部（１２ａ）にのみ配置される、ことを特徴とする請求項２に記載の抗捻挫衝撃吸収バランスエアクッション靴。
【請求項４】
複数列の衝撃吸収システム（２０）が前記ソール（１２）の踵部（１２ａ）にのみ配置される、ことを特徴とする請求項２に記載の抗捻挫衝撃吸収バランスエアクッション靴。
【請求項５】
複数列の衝撃吸収システム（２０）が前記ソール（１２）の踵部（１２ａ）及び前足部（１２ｂ）の両方に配置される、ことを特徴とする請求項２に記載の抗捻挫衝撃吸収バランスエアクッション靴。
【請求項６】
前記複数列の衝撃吸収システム（２０）は前後方向に沿ってソール（１２）に順に配置され、各列の前記衝撃吸収システム（２０）における両エアバッグ（２１）は左右方向に沿ってソール（１２）に配置される、ことを特徴とする請求項４又は５に記載の抗捻挫衝撃吸収バランスエアクッション靴。
【請求項７】
前記複数列の衝撃吸収システム（２０）は互いに分離してソール（１２）内にそれぞれ配置される、ことを特徴とする請求項４又は５に記載の抗捻挫衝撃吸収バランスエアクッション靴。
【請求項８】
前記ソール（１２）の前記踵部（１２ａ）の厚さが前足部（１２ｂ）の厚さより厚い、ことを特徴とする請求項３又は４に記載の抗捻挫衝撃吸収バランスエアクッション靴。
【請求項９】
前記ソール（１２）の前記踵部（１２ａ）の厚さが前記前足部（１２ｂ）の厚さと同じである、ことを特徴とする請求項５に記載の抗捻挫衝撃吸収バランスエアクッション靴。
【請求項１０】
前記靴インサート（１１）の底面には浅溝（１１１）が設けられ、前記エアバッグ（２１）の上部が別々に前記浅溝（１１１）に収容される、ことを特徴とする請求項２に記載の抗捻挫衝撃吸収バランスエアクッション靴。
【請求項１１】
前記靴インサート（１１）の底面には前記接続管（２２）を収容するための接続管溝（１１２）が設けられる、ことを特徴とする請求項２に記載の抗捻挫衝撃吸収バランスエアクッション靴。
【請求項１２】
前記ソール（１２）の上面には前記接続管（２２）を収容するための接続管溝（１２２）が設けられる、ことを特徴とする請求項２に記載の抗捻挫衝撃吸収バランスエアクッション靴。
【請求項１３】
前記ソール（１２）の底面において、前記２つのエアバッグ室（１２１）の間には凹部（１２０）が形成される、ことを特徴とする請求項２に記載の抗捻挫衝撃吸収バランスエアクッション靴。
【請求項１４】
前記エアバッグ（２１）及び前記エアバッグ室の形状は、円形、楕円形、正方形又は不規則である、ことを特徴とする請求項２に記載の抗捻挫衝撃吸収バランスエアクッション靴。
【請求項１５】
前記靴インサート（１１）は変形しにくい硬質材料で作られ、前記ソール（１２）は変形しやすい軟質材料で作られる、ことを特徴とする請求項２に記載の抗捻挫衝撃吸収バランスエアクッション靴。
【請求項１６】
前記エアクッション靴は前記靴インサート（１１）と接続されるつま革（１３）をさらに備える、ことを特徴とする請求項２に記載の抗捻挫衝撃吸収バランスエアクッション靴。
【発明の詳細な説明】
【技術分野】
【０００１】
＜関連出願の相互参照＞
本願は、２０１６年７月２５日に出願された第２０１６１０５９４９０５．５号の中国特許出願に基づくものであり、その優先権を主張する。明細書、図面及び特許請求の範囲を含む上記出願の全開示内容は、全体として参照により本明細書に組み込まれる。
【０００２】
本開示は靴の領域に関し、特に抗捻挫衝撃吸収バランスエアクッション靴に関する。
【背景技術】
【０００３】
人々の生活水準の向上に伴い、ますます多くの人々が健康と運動を考え始めるようになっている。最も人気のある運動の一つとして、ランニングは徐々に人々の毎日のレジャー生活を変えている。マラソン熱の全国的な上昇に伴い、ますます多くの若者、中年や高齢者でさえも、社会浸透率が年々上昇しているランニング運動に参加している。しかしながら、ランニングは、膝や足首にも害を及ぼすことがある。害が発生すると、ランナーが回復するまでに１週間かそれ以上の時間がかかることがあり、さらに生理学的及び心理的な損傷を引き起こす。
【０００４】
靴は、主につま革とソールで構成される。使用時に、ソールは地面と直接接触する。靴が快適であるか否かは、主にソールに依存する。これは、地面から直接摩擦を受け、地面からの反応応力を同時に足に伝えるためである。したがって、効果的に足を保護し、疲労感を軽減し、運動の衝撃による怪我を回避し、運動や競技スポーツを実現することができるため、ソールに十分な衝撃吸収が必要である。
【０００５】
そのため、エアクッション靴が最初に発明された。このような靴は、足と地面との間の衝撃に対する緩衝材として作用することができ、膝又は足首の損傷を軽減することができる。しかしながら、靴が石や他人の足の上を踏むと、ソールが特定の角度で転がって、足首を捻挫する（これは一般に足首の捻挫として知られている）。このようなことから、エアクッション靴は緩衝効果がより良好であるため、抗捻挫衝撃吸収バランスエアクッション靴を提供することが実用的かつ効率的である。
【発明の概要】
【発明が解決しようとする課題】
【０００６】
本発明は、より良い衝撃吸収効果を有し、運動中に足首の捻挫の発生を効果的に回避することができる抗捻挫衝撃吸収バランスエアクッション靴を提供する。
【０００７】
本発明の実施形態による抗捻挫衝撃吸収バランスエアクッション靴は、靴インサート及びソールを備える。該エアクッション靴は、互いに連通する２つのエアバッグと、ソールの上面に設けられ２つのエアバッグをそれぞれ収容するための２つのエアバッグ室とをさらに備える。２つのエアバッグ室は、左右方向に沿ってソールに分布する。靴インサートとソールの組み合わせにより、２つのエアバッグは、対応する２つのエアバッグ室にそれぞれ固定され、２つのエアバッグ室は、伸縮可能で圧縮可能である。
【０００８】
一実施形態では、２つのエアバッグは、連続管を介して相互に連通し、２つのエアバッグ及び２つのエアバッグを連通する接続管は共に衝撃吸収システムの列を構成する。
【０００９】
一実施形態では、１列の衝撃吸収システムのみが、ソールの踵部にのみ配置される。
【００１０】
一実施形態では、複数列の衝撃吸収システムが、ソールの踵部にのみ配置される。
【００１１】
一実施形態では、複数列の衝撃吸収システムが、ソールの踵部及び前足部の両方に配置される。
【００１２】
一実施形態では、複数列の衝撃吸収システムは、前後方向に沿ってソールに順に配置され、各列の衝撃吸収システムにおける両エアバッグは、左右方向に沿ってソールに配置される。
【００１３】
一実施形態では、複数列の衝撃吸収システムは、互いに分離してソール内にそれぞれ配置される
【００１４】
一実施形態では、ソールの踵部の厚さは前足部の厚さより厚い。
【００１５】
一実施形態では、ソールの踵部の厚さは前足部の厚さと同じである。
【００１６】
一実施形態では、靴インサートの底面には、エアバッグの上部をそれぞれ収容するための浅溝が設けられる。
【００１７】
一実施形態では、靴インサートの底面には、接続管を収容するための接続管溝が設けられる。
【００１８】
一実施形態では、ソールの上面には、接続管を収容するための接続管溝が設けられる。
【００１９】
一実施形態では、ソールの底面において、２つのエアバッグ室の間には凹部が形成される。
【００２０】
一実施形態では、エアバッグ及びエアバッグ室の形状は、円形、楕円形、正方形又は不規則である。
【００２１】
一実施形態では、靴インサートは変形しにくい硬質材料で作られ、ソールは変形しやすい軟質材料で作られる。
【００２２】
一実施形態では、エアクッション靴は、靴インサートと接続されるつま革をさらに備える。
【００２３】
本発明の実施形態による抗捻挫衝撃吸収バランスエアクッション靴は、少なくとも以下の利点を有する。まず、エアバッグと、エアバッグを連通する接続管とを備えるソールにおける衝撃吸収システムの配置は、地面から足への衝撃を緩衝し、より良い衝撃吸収効果を発揮することができる。次に、ソールの一方の側のエアバッグ室が石のようなものに乗り上がると、同じ側のエアバッグ室が圧縮され、さらに、それに応じて同じエアバッグ室内のエアバッグが圧縮される。エアバッグは接続管により連通するため、圧縮されたエアバッグ内のガスが別のエアバッグ内に流入して、他のエアバッグを膨張させる。さらに、膨張により他方のエアバッグ室が伸張して地面に影響を及ぼし、ソールの転がりの傾向とは反対のトルクを形成する。このことから、ソールの転がりは防止され、ソールが相対的にバランスを保つので、捻挫が効果的に回避される。
【図面の簡単な説明】
【００２４】
本発明の上記の目的及び利点は、以下の詳細な説明及び添付の図面を検討した後、当業者にはより容易に明らかになるであろう。
【図１】本発明の実施形態１の抗捻挫衝撃吸収バランスエアクッション靴の正面図である。
【図２】図１におけるエアクッション靴の分解模式図である。ここでは、つま革は含まれていない。
【図３】図１におけるエアクッション靴の上面図である。
【図４】図１におけるエアクッション靴の靴インサートの底面図である。
【図５】ソールと靴インサートの組み合わせ後の図１におけるエアクッション靴の３次元図である。
【図６ａ】ＶＩ−ＶＩ方向に沿う図５の断面図である。
【図６ｂ】ＶＩ−ＶＩ方向に沿う図５の断面図である。
【図６ｃ】ＶＩ−ＶＩ方向に沿う図５の断面図である。
【図７】本発明の実施形態２の抗捻挫衝撃吸収バランスエアクッション靴の正面図である。
【図８】図７のエアクッション靴におけるソールの上面図である。
【図９】図７のエアクッション靴における靴インサートの底面図である。
【図１０】本発明の実施形態３の抗捻挫衝撃吸収バランスエアクッション靴の正面図である。
【図１１】図１０のエアクッション靴におけるソールの上面図である。
【図１２】図１０のエアクッション靴における靴インサートの底面図である。
【図１３】本発明の実施形態４の抗捻挫衝撃吸収バランスエアクッション靴の正面図である。
【図１４】図１３のエアクッション靴におけるソールの上面図である。
【図１５】図１３のエアクッション靴における靴インサートの底面図である。
【発明を実施するための形態】
【００２５】
本発明は、以下の実施形態を参照しながら、より具体的に説明される。なお、本発明の好ましい実施形態の以下の説明は、例示及び説明のみを目的として本明細書に提示されている。それは、網羅的であること、又は開示されている明確な形態に限定されることを意図するものではない。
【００２６】
＜実施形態１＞
図１は、本発明の実施形態１の抗捻挫衝撃吸収バランスエアクッション靴の正面図である。図２は、つま革なしの図１のエアクッション靴の分解模式図である。図３は、図１のエアクッション靴のソールの上面図である。図４は、図１のエアクッション靴の靴インサート底面図である。図５は、ソールと靴インサートの組み合わせ後の図１におけるエアクッション靴の３次元図である。図１〜５を参照すると、本実施形態のエアクッション靴は、靴インサート１１及びソール１２を備える。該エアクッション靴は、互いに連通する２つのエアバッグ２１をさらに備える。ソール１２の上面には２つのエアバッグ室１２１が設けられ、２つのエアバッグ２１を収容するために使用され、左右方向に沿ってソール１２に配置され、伸縮可能で圧縮可能である。さらに、靴インサート１１とソール１２の組み合わせにより、２つのエアバッグ２１は、２つのエアバッグ室１２１内にそれぞれ固定される。相互に連通するエアバッグ２１をソール１２に配置することによって、エアクッション靴は左右に転がるのを防止することができる。
【００２７】
図６ａ〜６ｃは、図５のＶＩ−ＶＩ方向に沿うエアクッション靴の断面図である。図６ａは、エアバッグが圧縮されていない図１のエアクッション靴の模式図である。図６ｂは、エアバッグが圧縮されている図１のエアクッション靴の模式図である。図６ｃは、エアバッグが不均一な地面に乗り上がった場合の図１のエアクッション靴の模式図である。図６ａ〜６ｃを参照すると、人々がエアクッション靴で平地上を運動するとき、ソールの左右側の２つのエアバッグ２１への負荷は本質的に同じである。この場合、２つのエアバッグ２１内の空気圧は本質的に同じであり、２つのエアバッグ２１の変形も同じである。図６ｂに示されるように、通常のエアクッション靴と明らかな違いはない。しかしながら、ソール１２の同じ側の１つのエアバッグ室１２１が石などの異物３０に乗り上がると、同じ側のエアバッグ室１２１は圧縮され、それに応じて、エアバッグ室１２１内のエアバッグ２１は圧縮される。両側のエアバッグ２１は互いに連通するため、両エアバッグ２１内の空気圧が同じになるように、圧縮されたエアバッグ２１内のガスが他方のエアバッグ２１に流入して、他方のエアバッグ２１を膨脹させる。その膨脹により、対応するエアバッグ室１２１は伸長して、エアバッグ室１２１の膨脹によって地面への応力が発生し、ソール１２の転がり傾向と逆のトルクも発生する。それにより、ソール１２の転がりがさらに防止され、ソール１２がバランス状態に維持される。このようにして足首への抗捻挫が実現される。
【００２８】
一実施形態では、２つのエアバッグ２１は接続管２２を介して連通する。２つのエアバッグ２１と、２つのエアバッグ２１を連通する接続管２２とは共に衝撃吸収システム２０の列を構成する。この実施形態では、１列の衝撃吸収システム２０のみが図面に示されるが、これに限定されるものではない。
【００２９】
一実施形態では、エアクッション靴は、靴インサート１１と接着又は縫合などの方法で接続されるつま革１３をさらに備える。
【００３０】
一実施形態では、図４に示されるように、靴インサート１１ａの底面には浅溝１１１が設けられ、エアバッグ２１の上部は浅溝１１１に収容されるので、エアバッグ２１は対応するエアバッグ室１２１内に一層安定して位置し、浅溝１１１とエアバッグ室１２１との組み合わせにより、エアバッグ２１を縦方向に沿って伸縮させたり圧縮したりすることを抑制することができる。
【００３１】
一実施形態では、図４及び図６ａに示されるように、靴インサート１１の底面には、接続管溝１１２が設けられ、２つのエアバッグ２１を連通する接続管２２を収容するために使用される。靴インサート１１の底面はソール１２の上面とマッチングするため、靴インサート１１の底面に設けられた接続管溝１１２は、接続管２２を収容することができ、ソール１２に溝を形成する必要がないので、ソール１２の強度を向上させることができる。
【００３２】
一実施形態では、図２及び図６ａに示されるように、ソール１２の底面には凹部１２０が２つのエアバッグ室１２１の間に形成され、２つのエアバッグ室１２１は凹部１２０により分離される。このため、２つのエアバッグ室１２１を別々に伸縮させて圧縮することができる。
【００３３】
一実施形態では、ソール１２及び靴インサート１１は、射出プロセスなどによって別々に製造することができる。ソール１２は、エアバッグ室１２１と同時に製造することができ、靴インサート１１は、浅溝１１１及び接続管溝１１２と同時に製造することができる。衝撃吸収システム２０のエアバッグ２１はそれぞれソール１２のエアバッグ室１２１に収容され、衝撃吸収システム２０の接続管２２は接続管溝１１２に収容される。この実施形態において、衝撃吸収システム２０は、ソール１２及び靴インサート１１と別々に設計し製造されるので、靴インサート１１及びソール１２の組み合わせ及び接続は、衝撃吸収システム２０のシーリング性能に影響を与えない。エアバッグ室１２１と比較して、エアバッグ２１に漏れが生じる可能性は殆どなく、靴インサート１１とソール１２との組み合わせが緊密でないことによってエアバッグ室１２１に漏れが生じても、衝撃吸収システム２０に影響を与えないため、エアクッション靴の寿命が長くなる。
【００３４】
一実施形態では、図１に示されるように、衝撃吸収システム２０は、ソール１２の踵部１２ａにのみ配置され、衝撃吸収システム２０は、２つのエアバッグ２１と、２つのエアバッグ２１を連通する接続管２２とを備える。この場合、ソール１２の踵部１２ａの厚さは、前足部１２ｂの厚さより厚い。即ち、本実施形態は、踵部を有するそれらのエアクッション靴に適している。なお、本実施形態を説明するための図において、ソール１２の踵部１２ａに１列の衝撃吸収システム２０のみが示されているが、これは説明のためのものであり、本発明を限定するものではない。ソール１２の踵部１２ａでの衝撃吸収システム２０の配置は、エアクッション靴の体積及び重量を減少させるだけでなく、衝撃吸収及びバランス効果を果たし、運動中に捻挫の発生を回避することもできるので、踵部が応力の大部分を負うという問題を解決する。
【００３５】
一実施形態では、エアバッグ２１及びエアバッグ室１２１は、円形、楕円形、正方形又は不規則である。エアバッグ２１は、ゴム又は他の良好な弾性を有する材料とすることができる。
【００３６】
一実施形態では、靴インサート１１は変形しにくい硬質材料で作られ、ソール１２は変形しやすい軟質材料で作られる。ソール１２は十分に柔らかいので、靴のバランスを少し不均一な地面に保つことができる。しかしながら、ソール１２が大きな物に乗り上がると、ソール１２の変形が大きくなり、エアバッグ２１が圧縮される。このようにして、ソール１２の転がりが制限され、足首の捻挫が回避される。一方、靴インサート１１は、硬質材料で作られ、足に対する水平応力を維持するのを支援することができる。
【００３７】
＜実施形態２＞
図７は、本発明の実施形態２の抗捻挫衝撃吸収バランスエアクッション靴の正面図である。図８は、図７のエアクッション靴のソールの上面図である。図９は、図７のエアクッション靴の靴インサートの底面図である。図７〜９を参照すると、ソール１２の上面に接続管溝１２２が設けられる。このような接続管溝１２２は、２つのエアバッグ２１を連通する接続管２２を収容するために使用される。即ち、本実施形態では、接続管溝は、靴インサート１１の底面に配置されず、ソール１２の上面に配置される。ソール１２の上面における接続管溝１２２の配置は、エアバッグ２１の取り付け及び接続管２２の配置を容易にすることができ、サイズのマッチングの必要はない。本実施形態の他の構成又は作用原理は、実施形態１で説明したので、ここでは省略するが、必要に応じて上記の説明を参照されたい。
【００３８】
＜実施形態３＞
図１０は、本発明の実施形態３の抗捻挫衝撃吸収バランスエアクッション靴の正面図である。図１１は、図１０のエアクッション靴のソールの上面図である。図１２は、図１０のエアクッション靴の靴インサートの底面図である。図１０〜１２を参照すると、複数列の衝撃吸収システム２０は、ソール１２の踵部１２ａに配置され、ソール１２の前足部１２ｂに衝撃吸収システム２０が配置されていない。説明のために、図１０〜１２に２列の衝撃吸収システム２０のみが示されるが、これに限定されない。即ち、本実施形態では、衝撃吸収システム２０は、踵部１２ａにのみ配置され、踵部１２ａの厚さは、前足部１２ｂの厚さより厚い。本実施形態のエアクッション靴は、踵部を有するものに適している。
【００３９】
各列の衝撃吸収システム２０は、２つのエアバッグ２１と、２つのエアバッグ２１を連通する接続管２２とで構成される。複数列の衝撃吸収システム２０は、前後方向に沿ってソール１２に順に配置され、各列の衝撃吸収システム２０における２つのエアバッグ２１は、左右方向に沿ってソール１２に配置される。本実施形態では、ソール１２の踵部１２ａにおける複数列の衝撃吸収システム２０の配置は、エアクッション靴の衝撃吸収バランス効果を向上させる。一方、複数列の衝撃吸収システム２０は、互いに分離してソール１２に分布するため、１列の衝撃吸収システム２０は漏れが発生するように不良になっても、他の列の衝撃吸収システム２０は影響を受けずに作動し続ける。この配置は、エアクッション靴の耐久性を向上させる。本実施形態の他の構成又は作用原理は、実施形態１で説明したので、ここでは省略するが、必要に応じて上記の説明を参照されたい。
【００４０】
＜実施形態４＞
図１３は、本発明の実施形態４の抗捻挫衝撃吸収バランスエアクッション靴の正面図である。図１４は、図１３のエアクッション靴のソールの上面図である。図１５は、図１３のエアクッション靴の靴インサートの底面図である。図１３〜１５を参照すると、本実施形態では、ソール１２の踵部１２ａ及び前足部１２ｂに同時に複数列の衝撃吸収システム２０が配置され、ソール１２の踵部１２ａの厚さが前足部１２ｂの厚さと同じであり、即ち、本実施形態のエアクッション靴は、フラットエアクッション靴に適している。各列の衝撃吸収システム２０は、２つのエアバッグ２１と、２つのエアバッグ２１を連通する接続管２２とを含む。複数列の衝撃吸収システム２０は、前後方向に沿ってソール１２に順に配置され、各列の衝撃吸収システム２０における２つのエアバッグ２１は、左右方向に沿ってソール１２に配置される。この配置により、ソール１２の踵部１２ａと前足部１２ｂに同時に抗捻挫及び衝撃吸収効果が生じ、応力がソール１２全体に分散するので、踵部１２ａのみが応力を受けるという問題が解決される。さらに、複数列の衝撃吸収システム２０は、互いに分離してソール１２に分布するため、１列の衝撃吸収システム２０は漏れが発生するように不良になっても、他の列の衝撃吸収システム２０は影響を受けずに作動し続ける。この配置は、エアクッション靴の耐久性を向上させる。
【００４１】
上述の実施形態による抗捻挫衝撃吸収バランスエアクッション靴は、運動靴、バスケットボール用靴、ランニング用靴、カジュアル靴又は革靴などの様々な靴に適用することができる。
【００４２】
以上により、本発明の上記実施形態による抗捻挫衝撃吸収バランスエアクッション靴は、少なくとも以下の利点を有する。まず、エアバッグと、エアバッグを連通する接続管とを備えるソールにおける衝撃吸収システムの配置は、地面から足への衝撃を緩衝し、より良い衝撃吸収効果を発揮することができる。次に、ソールの一方の側のエアバッグ室が石のようなものに乗り上がると、同じ側のエアバッグ室が圧縮され、さらに、それに応じて同じエアバッグ室内のエアバッグが圧縮される。エアバッグは接続管により連通するため、圧縮されたエアバッグ内のガスが別のエアバッグ内に流入して、他のエアバッグを膨張させる。さらに、膨張により他方のエアバッグ室が伸張して地面に影響を及ぼし、ソールの転がりの傾向とは反対のトルクを形成する。このことから、ソールの転がりは防止され、ソールが相対的にバランスを保つので、捻挫が効果的に回避される。
【００４３】
本発明は、現在最も現実的で好ましい実施形態と考えられるものに関してのみ記載されているが、本発明は開示された実施形態に限定される必要がないことを理解されたい。逆に、すべてのそのような修正及び類似の構造を包含するように最も広義の解釈に従う、従属請求項の趣旨及び範囲内に含まれる様々な修正及び類似の配置を含むことが意図される。
【図１】
2019506987.tif 000003
【図２】
2019506987.tif 000004
【図３】
2019506987.tif 000005
【図４】
2019506987.tif 000006
【図５】
2019506987.tif 000007
【図６ａ】
2019506987.tif 000008
【図６ｂ】
2019506987.tif 000009
【図６ｃ】
2019506987.tif 000010
【図７】
2019506987.tif 000011
【図８】
2019506987.tif 000012
【図９】
2019506987.tif 000013
【図１０】
2019506987.tif 000014
【図１１】
2019506987.tif 000015
【図１２】
2019506987.tif 000016
【図１３】
2019506987.tif 000017
【図１４】
2019506987.tif 000018
【図１５】
2019506987.tif 000019
【国際調査報告】
2019506987.tif 000020
2019506987.tif 000021